(57)【要約】主翼リブ等の航空機構成材を製造するに当り、一列に並ぶ二個以上のコネクタ（１９，２０）を具える航空機構成材の本体を準備する。この本体は、各コネクタが本体から伸びるアーム（３５，４１）、列の第一側に位置する第一フランジ（２４ａ）および列の第二側に位置する第二フランジ（２３ｂ）を有する。このような本体に対し、本体から伸びるアーム（３５）と、列の第一側に位置する第一フランジと、列の第二側に位置する第二フランジとを有する別体コネクタ（３０）を取り付ける。
2009531224.tif 000002
【特許請求の範囲】
【請求項１】
一列に並んだ二個以上のコネクタを具える航空機構成材の本体として、各コネクタが前記本体から伸びるアーム、前記列の第一側に位置する第一フランジおよび前記列の第二側に位置する第二フランジを有する前記本体を準備する工程と、
前記本体から伸びるアーム、前記列の第一側に位置する第一フランジおよび前記列の第二側に位置する第二フランジを有する別体コネクタを前記本体に取り付ける工程とを含む、航空機構成材の製造方法。
【請求項２】
請求項１に記載の方法によって航空機構成材を製造する工程と、
締め具で前記コネクタの前記フランジと、空気力学的外表面を有する外皮とを締め付けることによって、前記航空機構成材を前記外皮に固定する工程とを含む、航空機構成材の製造方法。
【請求項３】
本体と、前記本体に一列に並ぶ一連のコネクタとを含む航空機構成材であって、各コネクタが前記本体から伸びるアーム、前記列の第一側に位置する第一フランジおよび前記列の第二側に位置する第二フランジを有し、前記コネクタの少なくとも一個が前記本体に取り付けられた別体コネクタである、航空機構成材。
【請求項４】
前記列の一側から見たときに前記別体コネクタのアームが前記コネクタのうち近接する一個のコネクタのアームに重なっている、請求項３に記載の航空機構成材。
【請求項５】
前記別体コネクタのアームおよび／または前記コネクタのうち近接する一個のコネクタのアームが、前記列の一側から見たときにもう一方のアームに重なっている強化部を有する、請求項４に記載の航空機構成材。
【請求項６】
前記強化部が斜めの縁を有する、請求項５に記載の航空機構成材。
【請求項７】
前記別体コネクタのアームが、前記本体に近接する比較的幅の広い基部および前記フランジを保持する比較的幅の狭い末端部を有する、請求項３〜６の何れか一項に記載の航空機構成材。
【請求項８】
前記航空機構成材が主翼リブを含み、前記コネクタがリブ脚を含む、請求項３〜７の何れか一項に記載の航空機構成材。
【請求項９】
各フランジが、締め付け部品を保持するために一個以上の締め付け孔を有する、請求項３〜８の何れか一項に記載の航空機構成材。
【請求項１０】
前記別体コネクタが二個以上の締め具によって前記本体に固定され、各締め具が前記別体コネクタおよび前記本体を貫通する、請求項３〜９の何れか一項に記載の航空機構成材。
【請求項１１】
前記コネクタの少なくとも一個が前記本体と一体化して構成される、請求項３〜１０の何れか一項に記載の航空機構成材。
【請求項１２】
前記コネクタに近接する前記本体に沿って伸びる補強材をさらに含む、請求項３〜１１の何れか一項に記載の航空機構成材。
【請求項１３】
前記別体コネクタが、前記補強材の反対側で前記本体に固定されている、請求項１２に記載の航空機構成材。
【請求項１４】
請求項３〜１３の何れか一項に記載の航空機構成材と、前記コネクタに固定された外皮とを含み、前記外皮が空気力学的外表面を有する航空機構造体。
【請求項１５】
前記外皮が複数の補強材を保持する内部表面を有し、各補強材が一対の前記コネクタ間にあるチャネルにおいて保持される、請求項１４に記載の航空機構造体。
【請求項１６】
前記コネクタおよび前記外皮が異なる材料から形成される、請求項１４または１５に記載の航空機構造体。
【請求項１７】
航空機構成材の本体と、空気力学的外表面を有する外皮との間で荷重を移動させるコネクタであって、前記コネクタが、
前記航空機構成材の本体に前記コネクタを固定するため、前記コネクタの第一側にある第一面、前記コネクタの第二側にある第二面および前記第一面と前記第二面との間にある縁を有する板と、
前記板の縁から伸びるアームと、
前記コネクタの第一側にあるアームに保持される第一フランジと、
前記コネクタの第二側にあるアームに保持される第二フランジとを含み、
前記アームは前記板の縁に近接する比較的幅の広い基部および前記フランジを保持する比較的幅の狭い末端部を有するコネクタ。
【請求項１８】
前記板が、締め付け部品を保持するために二個以上の締め付け孔を有する、請求項１７に記載のコネクタ。
【請求項１９】
前記アームが斜めの縁を含む強化部を有する、請求項１７または１８に記載のコネクタ。
【請求項２０】
各フランジが、締め付け部品を保持するために一個以上の締め付け孔を有する、請求項１７〜１９の何れか一項に記載のコネクタ。
【請求項２１】
各フランジが一個の締め付け孔のみを有する、請求項２０に記載のコネクタ。
【発明の詳細な説明】
【技術分野】
【０００１】
本発明は、航空機構成材、航空機構成材を製造する方法および航空機構成材本体と外皮との間で荷重を移動させるコネクタに関する。そのコネクタは、主翼の外皮と主翼リブとの間で荷重を移動させるリブ脚であってもよい。
【背景技術】
【０００２】
航空機の主翼リブのリブ脚については、国際公開第０１／７６９４３号パンフレットに記載されている。リブ脚は一対のフランジを有し、それぞれが最終アッセンブリ孔の最終位置に空けられた一対のガイド孔を有し、主翼の外皮を固定するために用いられる。
【特許文献１】国際公開第０１／７６９４３号パンフレット
【０００３】
リブ脚に破損が生じた場合、耐荷重性のリブ脚全体を損失し、全荷重が近接のリブ脚に移動する。その場合、超過荷重が近接のリブ脚に移動し、航空機の主翼の構造的完全性を損なうことになり得る。
【発明の開示】
【０００４】
本発明の第一の態様は、航空機構成材の製造方法を提供することであり、その方法は、
一列に並んだ二個以上のコネクタを具える航空機構成材の本体として、各コネクタが本体から伸びるアーム、列の第一側に位置する第一フランジおよび列の第二側に位置する第二フランジを有する本体を準備する工程と、
本体から伸びるアーム、列の第一側に位置する第一フランジおよび列の第二側に位置する第二フランジを有する別体コネクタを本体に取り付ける工程とを含む。
【０００５】
本発明の第一の態様による方法によって、別体コネクタが列の近接のコネクタに接近した状態で取り付けられ、一方でそれらのコネクタ間を伝わるクラックが発生する可能性を低下させることができる。別体コネクタに破損が生じた場合は、フランジを列の反対側に位置づけることによって、荷重が残りのコネクタに左右対称に移動することになる。
【０００６】
本発明の第二の態様は、本体および本体に一列に並んだ一連のコネクタを含む航空機構成材を提供することであり、各コネクタが本体から伸びるアーム、列の第一側に位置する第一フランジおよび列の第二側に位置する第二フランジを有し、コネクタの少なくとも一個が本体に取り付けられた別体コネクタである。
【０００７】
航空機構成材は溶接によって外皮に固定されるか、より好ましくは、ボルト等の締め具でコネクタのフランジおよび外皮を締め付けることによって固定される。外皮は一般的に、胴体の外皮または翼の外皮のように空気力学的外表面を有する航空機構成材である。一般的に、外皮は複数の補強材を備えた内部表面を有し、各補強材は一対のコネクタ間にあるチャネルにおいて保持される。コネクタおよび外皮は、それぞれが金属および複合材等の異なる材料から構成されることもある。
【０００８】
一般的に、列の一側から見たときに、別体コネクタのアームは近接するコネクタのアームに重なっている。こうすることで、コンパクトな構成が可能となり、別体コネクタのアームおよび／または近接するコネクタのアームが列の一側から見たときにもう一方のアームに重なる強化部を備えることができる。好ましくは、この強化部が、曲げ剛性を強化するために斜めの縁部を有する。
【０００９】
一般的に、別体コネクタのアームは本体に近接する比較的幅の広い基部およびフランジを保持する比較的幅の狭い末端部を有する。こうすることでも、アームの曲げ剛性を強化することができる。
【００１０】
好ましい実施例において、航空機構成材は主翼リブを含み、コネクタはリブ脚を含む。しかしながら、本発明は、胴体の構成材等のその他の航空機構成材に適用される場合もある。
【００１１】
一般的に、各フランジは、締め付け部品を保持するために一個以上の締め付け孔を有する。以下に記述する好ましい実施例において、別体コネクタおよび別体コネクタに隣接するコネクタのフランジは、列中のその他のコネクタより孔の数が少ない。
【００１２】
一般的に、コネクタの少なくとも一個は本体と一体化して構成される。
【００１３】
リッジ等の補強材が、コネクタに近接の本体に沿って伸びていることもある。この場合、別体コネクタは一般的に、補強材の反対側で本体に固定されている。
【００１４】
本発明の第三の態様は、航空機構成材の本体と、空気力学的外表面を有する外皮との間で荷重を移動させるコネクタを提供することであり、そのコネクタは、
航空機構成材の本体にコネクタを固定するための板であって、その板はコネクタの第一側にある第一面、コネクタの第二側にある第二面および第一面と第二面との間にある縁を有する板と、
板の縁から伸びるアームと、
コネクタの第一側にあるアームによって保持される第一フランジと、
コネクタの第二側にあるアームによって保持される第二フランジとを含み、
アームは板の縁に近接する比較的幅の広い基部およびフランジを保持する比較的幅の狭い末端部を有する。
【００１５】
コネクタの左右対称の構造により、コネクタが本発明の第一の態様による方法において利用されることが適当となる。
【００１６】
板が本体に溶接されることもあるが、より好ましくは、板が、ボルト等の締め具を保持するための締め付け孔を二個以上有する。
【実施例】
【００１７】
以下、本発明の実施例を、添付図面を参照しながら記述する。
【００１８】
図１は、胴体２および一対の翼を含み、各翼が翼端３を有する航空機１を示す。各翼は、胴体に取り付けられスパン方向に伸びる一対のスパー（図示せず）を有する。２４枚のリブ（図示せず）がコード方向に伸びる。フラップ４が各翼の後縁に装備されている。フラップは４個のフラップ取り付け具（図示せず）で保持され、各取り付け具は各リブに固定されている。各翼は一対のエンジン５を保持し、各エンジンは支持構造（図示せず）によって各リブに取り付けられている。
【００１９】
図２は、前縁および後縁にあるリブを除いたリブ１０の一つの機械加工表面を示す。リブ１０はアルミニウムビレットから機械加工され、多数の垂直スティフナー１１、下側ブームリッジ１２および上側ブームリッジ１３、ならびに水平スティフナー１４を形成する。燃料孔１５は燃料パイプを収容するよう構成されている。孔１６はリブの重量を軽減するためにリブ内ウェブに形成される。フラップトラック取り付け具１７は垂直スティフナー１８により形成される。
【００２０】
リブ１０の上縁および下縁は、それぞれが一連の一体型リブ脚１９を備え、リブに沿って一列に並んでいる。リブの上縁は、本発明の一実施例による二部分から成るリブ脚２０も保持し、一体型リブ脚と共に並んでいる。リブ脚１９および２０はリブ本体と主翼の外皮との間で荷重を移動させる。
【００２１】
図３は、二部分から成るリブ脚２０および近接の一体型リブ脚１９を詳細に示す。図３は、図２で示される側とは反対側のリブを示す。図３は、後部スパー（図示せず）に取り付けられたリブ１０の後縁２１も示す。
【００２２】
一体型リブ脚１９は、残りのリブと同一のアルミニウムから機械加工され、リブの上縁から伸びるアーム２２、リブの第一側のアームによって保持される第一フランジ２３ａおよびリブの第二側のアームによって保持される第二フランジ２３ｂを含む。フランジ２３ａ、２３ｂは一端に一対のボルト孔２４ａ、２４ｂを、もう一端に一対のボルト孔２５ａ、２５ｂを有して形成される。一体型リブ脚１９は一対のＵ型チャネル２６によって隣接のリブ脚から隔てられている。このように、リブ脚はリブの左右側面から見たときに城構えの外見を呈する。
【００２３】
二部分から成るリブ脚２０は、図４で詳細に示される別個のボルト締め部３０および図５で詳細に示される一体形成部４０を含む。
【００２４】
図４に関して、ボルト締め部３０は１０個のボルト孔３２を有する鉛直版３１を含む。鉛直版３１は凹部３３を有して形成され、図３に示されるような孔１６のために空間を空けておく。鉛直版３１は、リブのボルト孔３４に差し込まれるボルト（図示せず）によってリブ１０に固定される。（ボルト孔３４は図５に示される。）
【００２５】
アーム３５が鉛直版３１の上縁から伸びている。側面から見たときに、アーム３５は鉛直版３１に近接する比較的幅の広い基部、比較的幅の狭い末端部、垂直縁部３６および斜めの縁部３７を含む三角形の強化部を有する。アーム３５の末端部は、鉛直板の第一側で第一フランジ３８ａを、反対側の側面で第二フランジ３８ｂを保持する。フランジ３８ａ、３８ｂは、それぞれがボルト孔３９ａ、３９ｂを有する。図５に示される一体形成部４０は、残りのリブと同一のアルミニウムから機械加工され、リブの上縁から伸びる突き出たアーム４１を含む。アーム４０は、リブの第一側で第一フランジ４２ａを、反対側の側面で第二フランジ４２ｂを保持する。フランジ４２ａ、４２ｂは、それぞれがボルト孔４３ａ、４３ｂを有する。アーム４１は垂直縁部４４および斜めの縁部４５を含む強化部を有する。
【００２６】
図６は、主翼の外皮５０に取り付けられたリブ１０を示す。主翼の外皮５０は、翼の空気力学的外表面を形成する外部表面（図６では見られない）を有し、内部表面５１は、翼に沿ってスパン方向に存在する一連のストリンガーを保持する。ストリンガーは断面がＴ型であり、Ｔの直立部５２は翼の内側に向かって伸び、２個のリブ脚の間にあるＵ型チャネル２６内に位置し、Ｔのアーム部５３は外皮５０の内側表面５１に沿って位置する。図７は、二部分から成るリブ脚および二個の近接のストリンガーを詳細に示す。図７に示されるように、ストリンガーのアーム５３はリブの間に平行側面を有するが、平行側面がリブに近づくにつれ外に向かって先細になり、幅広部５４を形成する。ボルト（図示せず）はリブ脚、板５５、ストリンガーアーム５３の幅広部５４および外皮５０を貫通する。図示された実施例において、主翼の外皮５０は炭酸繊維強化プラスチック等の複合材料から形成される。同様に、ストリンガーは炭酸繊維強化プラスチック等の複合材料から形成される。
【００２７】
図６に関して、リブの前後縁２１、６０はそれぞれ前後部スパー（図示せず）に取り付けられている。フラップトラック取り付け具７０は、ボルト孔７１を貫通するボルト（図示せず）によって、リブにボルト固定されている。一対のラグナット（図示せず）は一側面はフラップトラック取り付け具１７にボルト固定され、反対側の側面はフラップトラック取り付け具７０にボルト固定されている。フラップの重量は、ラグナットによってフラップトラック取り付け具１７、７０に移動する。図６から理解できるように、フラップトラック取り付け具１７、７０とリブの前縁２１に取り付けられたスパーとの間には４個のリブ脚しかない。これらのリブ脚は高荷重を支え、特にスパーに最も近いリブ脚は高荷重を支えている。リブ脚の何れか一個に破損が生じた場合、荷重は近接のリブ脚に移動する。フラップトラック取り付け具とリブの前縁２１に取り付けられているスパーとの間の部分において、リブ脚全体（１個につき４個のボルトを備える）が破損すると、移動した荷重が超過する恐れがある。この問題は複合材主翼では特に深刻である。複合材主翼の外皮は一般的に、従来のアルミニウム主翼の外皮に比べて支圧強度に衰え、荷重が主翼の外皮の隔離部分に集中することで構造的な問題につながるからである。この問題を解決するために、以下に詳細に説明するように、破損が生じた場合、二部分から成るリブ脚２０は四個でははく二個のボルトのみを損失することになるよう構成されている。
【００２８】
そのために、一体型リブ脚１９のアーム２２を伝わる水平のクラックが生じた場合、リブ脚１９全体が破損することになる。しかしながら、近接のリブ脚に生じたクラックの伝達は、Ｕ型チャネル２６によって防ぐことができるであろう。（図３を参照のこと。）対照的に、二部分から成るリブ脚２０の場合には、別体のボルト締め部３０のアーム３５へ伝わる水平のクラックは近接部４０のアーム４１には伝わらないし、その逆も伝わらない。これは、（この領域において、アームはかみ合っているが、）上側ブーム１３の上に位置するアーム３５、４１の間に繋がりがないからである。結果として、部分３０の破損が部分４０の破損を招く恐れはなく、その逆もない。こうすることで、近接のコネクタに固定されたボルトと同様にリブ脚の無傷部分に残された二個のボルトは荷重を受け止めることができる。
【００２９】
部分３０を、近接のコネクタ４０と一体化させて形成する代わりに、別体コネクタとして形成することにより、部分３０をコネクタ４０に近いリブ本体に取り付けることができ、一方でそれらの間でクラックが伝わる可能性を低下させるか排除することができる。
【００３０】
二部分から成るリブ脚２０は、左右対称で機能を停止するよう構成されている。すなわち、部分３０または４０のどちらかが破損しても、残りの部分が、リブの前後の軸について左右対称に配置された２個のボルトを有する。これは、代替の非対称構造と対照させることができる。非対称構造において、リブの一側面にある二個のボルトはボルト固定された部分によって保持され、もう一方の側面にある二個のボルトは一体化して形成された部分によって保持されている。この代替の非対称構造において、一部分に破損が生じると、残りのボルトがリブの一方の側にだけ存在することになる。この異常は瞬時にリブに影響を与え、複合材主翼の外皮に主翼の外皮の支圧強度を超過し得るスパン方向の荷重を加える恐れがある。対照的に、二部分から成るリブ脚２０の場合、一部に破損が生じても、残りの耐荷重性ボルトがリブ脚列の両側にあるので、荷重は増えるがほとんど即座にリブに対称的に荷重を加えることとなる。
【００３１】
複合材主翼の外皮に関するさらなる問題は、複合材主翼の外皮が取り付けられているアルミニウムのリブ脚が、複合材主翼の外皮に対して異なる熱膨張係数を有することである。これによって、結合部に付加的な荷重を加える膨張差が生じる。二部分から成るリブ脚２０の左右対称性は、破損が発生した場合に荷重がリブ脚列の両側に均等に分配されることを意味するだけでなく、フランジ３８、４２は（図７に非常に明確に示されている）溝６１によって隔たれ、コード方向に測定すると一体型フランジ２３ａ、２３ｂよりも寸法が小さいので、熱膨張差のコード方向の大きさを縮小させることもできる。
【００３２】
図７は（斜めの縁部４５を含む）アーム４１の三角形の強化部を示し、リブの機械加工された側から見たときにどのように強化部が近接部３５に重なっているかを示す。強化部はアーム４１の曲げ鋼性を増強し、重なりによってコンパクトな構成を可能とする。同様に、アーム３５の強化部は、図３に非常に明確に示されるようにもう一方のアーム４１に重なっている。強化部が三角形であることにより、比較的小さい重量で高い曲げ剛性を得ることができる。
【００３３】
本発明について一以上の好ましい実施例を参照しながら上記しているが、添付の請求範囲において定義されている本発明の範囲から逸脱することなく各種の変更または修正が可能であることは、言うまでもない。
【図面の簡単な説明】
【００３４】
【図１】航空機の平面図である。
【図２】主翼リブの機械加工面の一部を示す図である。
【図３】主翼リブの反対面の一部を示す拡大図である。
【図４】ボルト締め付け部を示す図である。
【図５】ボルト締め付け部を除く主翼リブの機械加工面の一部を示す拡大図である。
【図６】主翼リブ全体および主翼の外皮を示す図である。
【図７】二部分から成るリブ脚を詳細に示す主翼リブおよび主翼の外皮の拡大図である。
【図１】
2009531224.tif 000003
【図２】
2009531224.tif 000004
【図３】
2009531224.tif 000005
【図４】
2009531224.tif 000006
【図５】
2009531224.tif 000007
【図６】
2009531224.tif 000008
【図７】
2009531224.tif 000009
【手続補正書】
【提出日】平成20年12月5日(2008.12.5)
【手続補正１】
【補正対象書類名】特許請求の範囲
【補正対象項目名】全文
【補正方法】変更
【補正の内容】
【特許請求の範囲】
【請求項１】
一列に並んだ二個以上のコネクタを具える航空機構成材の本体として、各コネクタが前記本体から伸びるアーム、前記列の第一側に位置する第一フランジおよび前記列の第二側に位置する第二フランジを有する前記本体を準備する工程と、
前記本体から伸びるアーム、前記列の第一側に位置する第一フランジおよび前記列の第二側に位置する第二フランジを有する別体コネクタを前記本体に取り付ける工程とを含み、
前記別体コネクタのアームを、前記列の一側から見たときに、近接するコネクタのアームに重なるように配置する、航空機構成材の製造方法。
【請求項２】
請求項１に記載の方法によって航空機構成材を製造する工程と、
締め具で前記コネクタの前記フランジと、空気力学的外表面を有する外皮とを締め付けることによって、前記航空機構成材を前記外皮に固定する工程とを含む、航空機構成材の製造方法。
【請求項３】
本体と、前記本体に一列に並ぶ一連のコネクタとを含む航空機構成材であって、各コネクタが前記本体から伸びるアーム、前記列の第一側に位置する第一フランジおよび前記列の第二側に位置する第二フランジを有し、前記コネクタの少なくとも一個が前記本体に取り付けられた別体コネクタであり、前記別体コネクタのアームが、前記列の一側から見たときに、近接するコネクタのアームに重なるように配置されている航空機構成材。
【請求項４】
前記別体コネクタのアームおよび／または前記コネクタのうち近接する一個のコネクタのアームが、前記列の一側から見たときにもう一方のアームに重なっている強化部を有する、請求項３に記載の航空機構成材。
【請求項５】
前記強化部が斜めの縁を有する、請求項４に記載の航空機構成材。
【請求項６】
前記別体コネクタのアームが、前記本体に近接する比較的幅の広い基部および前記フランジを保持する比較的幅の狭い末端部を有する、請求項３〜５の何れか一項に記載の航空機構成材。
【請求項７】
前記航空機構成材が主翼リブを含み、前記コネクタがリブ脚を含む、請求項３〜６の何れか一項に記載の航空機構成材。
【請求項８】
各フランジが、締め付け部品を保持するために一個以上の締め付け孔を有する、請求項３〜７の何れか一項に記載の航空機構成材。
【請求項９】
前記別体コネクタが二個以上の締め具によって前記本体に固定され、各締め具が前記別体コネクタおよび前記本体を貫通する、請求項３〜８の何れか一項に記載の航空機構成材。
【請求項１０】
前記コネクタの少なくとも一個が前記本体と一体化して構成される、請求項３〜９の何れか一項に記載の航空機構成材。
【請求項１１】
前記コネクタに近接する前記本体に沿って伸びる補強材をさらに含む、請求項３〜１０の何れか一項に記載の航空機構成材。
【請求項１２】
前記別体コネクタが、前記補強材の反対側で前記本体に固定されている、請求項１１に記載の航空機構成材。
【請求項１３】
請求項３〜１２の何れか一項に記載の航空機構成材と、前記コネクタに固定された外皮とを含み、前記外皮が空気力学的外表面を有する航空機構造体。
【請求項１４】
前記外皮が複数の補強材を保持する内部表面を有し、各補強材が一対の前記コネクタ間にあるチャネルにおいて保持される、請求項１３に記載の航空機構造体。
【請求項１５】
前記コネクタおよび前記外皮が異なる材料から形成される、請求項１３または１４に記載の航空機構造体。
【手続補正２】
【補正対象書類名】明細書
【補正対象項目名】０００４
【補正方法】変更
【補正の内容】
【０００４】
本発明の第一の態様は、航空機構成材の製造方法を提供することであり、その方法は、
一列に並んだ二個以上のコネクタを具える航空機構成材の本体として、各コネクタが本体から伸びるアーム、列の第一側に位置する第一フランジおよび列の第二側に位置する第二フランジを有する本体を準備する工程と、
本体から伸びるアーム、列の第一側に位置する第一フランジおよび列の第二側に位置する第二フランジを有する別体コネクタを本体に取り付ける工程とを含み、
前記別体コネクタのアームを、前記列の一側から見たときに、近接するコネクタのアームに重なるように配置するものである。
【手続補正３】
【補正対象書類名】明細書
【補正対象項目名】０００６
【補正方法】変更
【補正の内容】
【０００６】
本発明の第二の態様は、本体および本体に一列に並んだ一連のコネクタを含む航空機構成材を提供することであり、各コネクタが本体から伸びるアーム、列の第一側に位置する第一フランジおよび列の第二側に位置する第二フランジを有し、コネクタの少なくとも一個が本体に取り付けられた別体コネクタであり、前記別体コネクタのアームが、前記列の一側から見たときに、近接するコネクタのアームに重なるように配置されているものである。
【手続補正４】
【補正対象書類名】明細書
【補正対象項目名】００１４
【補正方法】変更
【補正の内容】
【００１４】
コネクタは、典型的には、
航空機構成材の本体にコネクタを固定するための板であって、その板はコネクタの第一側にある第一面、コネクタの第二側にある第二面および第一面と第二面との間にある縁を有する板と、
板の縁から伸びるアームと、
コネクタの第一側にあるアームによって保持される第一フランジと、
コネクタの第二側にあるアームによって保持される第二フランジとを含み、
アームは板の縁に近接する比較的幅の広い基部およびフランジを保持する比較的幅の狭い末端部を有する。
【国際調査報告】
2009531224.tif 000010
2009531224.tif 000011